(57)【要約】【課題】  コストをかけることなく、読取異常を検知することができる。【解決手段】  画像読取装置は、読取ガラス上の読取位置で原稿を搬送しながら当該原稿の画像を読み取る読取部を有する。読取部から出力される、原稿の読取期間における読取画像の輝度値と紙間における読取画像の輝度値とに、所定値以上の輝度値の差が発生しているか否かを判定する。その判定の結果に基づいて、読取ガラス上に載置された原稿による読取異常の発生を示す情報を出力する。【選択図】  図４
2017034549.tif 000002
【特許請求の範囲】
【請求項１】
画像を読み取る画像読取装置であって、
読取ガラス上の読取位置で原稿を搬送しながら該原稿の画像を読み取る読取手段と、
前記読取手段から出力される、原稿の読取期間における読取画像の輝度値と紙間における読取画像の輝度値とに、所定値以上の輝度値の差が発生しているか否かを判定する判定手段と、
前記判定手段の判定の結果に基づいて、前記読取ガラス上に載置された原稿による読取異常の発生を示す情報を出力する出力手段と
を備えることを特徴とする画像読取装置。
【請求項２】
前記出力手段は、前記読取手段から出力される読取画像の輝度値に、前記所定値以上の輝度値の差が発生していない場合に、前記読取異常の発生を示す情報を出力する
ことを特徴とする請求項１に記載の画像読取装置。
【請求項３】
前記読取異常の発生を示す情報は、前記読取ガラス上に原稿が載置されていることを示す情報である
ことを特徴とする請求項１又は２に記載の画像読取装置。
【請求項４】
前記読取手段は、前記読取手段から出力される読取画像の輝度値に、前記所定値以上の輝度値の差が発生している場合に、前記読取手段による読み取りを終了する
ことを特徴とする請求項１乃至３のいずれか１項に記載の画像読取装置。
【請求項５】
前記読取手段によって読み取られる原稿を装置外に排出する排出手段と、
前記排出手段から前記原稿が正常に排出されたか否かを検知する検知手段と
を更に備えることを特徴とする請求項１乃至４のいずれか１項に記載の画像読取装置。
【請求項６】
前記検知手段の検知の結果、前記原稿が正常に排出されていない場合に、前記出力手段は、前記原稿が正常に排出されていないことを示す情報を表示部に出力する
ことを特徴とする請求項５に記載の画像読取装置。
【請求項７】
前記検知手段の検知の結果、前記原稿が正常に排出されている場合に、前記判定手段は、前記読取手段から出力される読取画像の輝度値に、前記所定値以上の輝度値の差が発生しているか否かを判定する
ことを特徴とする請求項５又は６に記載の画像読取装置。
【請求項８】
前記原稿の読取期間は、給紙部から搬送されてくる原稿の１枚分を前記読取位置で読み取る第１読取期間であり、
前記紙間の読取期間は、１枚の原稿とそれに後続して搬送される１枚の原稿との間を読み取る第２読取期間である
ことを特徴とする請求項１乃至７のいずれか１項に記載の画像読取装置。
【請求項９】
前記判定手段は、
前記第２読取期間に対応する画像データを記憶する記憶手段と、
前記第１読取期間に対応する画像データと、前記記憶手段に記憶されている画像データとを比較する比較手段を備え、
前記判定手段は、前記比較手段の比較結果に基づいて、前記読取手段から出力される読取画像の輝度値に、前記所定値以上の輝度値の差が発生しているか否かを判定する
ことを特徴とする請求項８に記載の画像読取装置。
【請求項１０】
前記所定値を設定する設定手段を更に備える
ことを特徴とする請求項１乃至９のいずれか１項に記載の画像読取装置。
【請求項１１】
請求項１乃至１０のいずれか１項に記載の画像読取装置と、
前記画像読取装置で読み取られた画像に基づいて、記録媒体上に画像を形成する画像形成手段と
を備えることを特徴とする画像形成装置。
【請求項１２】
読取ガラス上の読取位置で原稿を搬送しながら該原稿の画像を読み取る読取部を有する画像読取装置の制御方法であって、
前記読取部から出力される、原稿の読取期間における読取画像の輝度値と紙間における読取画像の輝度値とに、所定値以上の輝度値の差が発生しているか否かを判定する判定工程と、
前記判定工程の判定の結果に基づいて、前記読取ガラス上に載置された原稿による読取異常の発生を示す情報を出力する出力工程と
を備えることを特徴とする画像読取装置の制御方法。
【請求項１３】
読取ガラス上の読取位置で原稿を搬送しながら該原稿の画像を読み取る読取部を有する画像読取装置のコンピュータを、
前記読取部から出力される、原稿の読取期間における読取画像の輝度値と紙間における読取画像の輝度値とに、所定値以上の輝度値の差が発生しているか否かを判定する判定手段、及び
前記判定手段の判定の結果に基づいて、前記読取ガラス上に載置された原稿による読取異常の発生を示す情報を出力する出力手段
として機能させるためのプログラム。
【発明の詳細な説明】
【技術分野】
【０００１】
本発明は、画像を読み取る画像読取技術に関するものである。
【背景技術】
【０００２】
従来、自動原稿給送装置を装備した画像読取装置を機体上部に配置した画像形成装置が実用化されている。例えば、自動原稿給送装置を装備した画像読取装置は、位置決めされた読取部（コンタクトイメージセンサ等）に対して、自動原稿給送装置が給送する原稿を通過させて、原稿の対向面の画像をライン単位で流し読みすることができる。
【０００３】
また、この画像読取装置は、原稿を載置したガラス板の下で読取部を移動（副走査）させて、ガラス板に接触する原稿の下面の画像を固定読みすることができる。そして、その読取部をガラス板の一端側に位置決めした状態で、自動原稿給送装置が原稿を搬送して、その読取部上を通過させることにより、移動する原稿の下面をガラス板を介して流し読みすることもできる。自動原稿給送装置は、給紙トレイに載置した原稿束から原稿を１枚ずつ分離して搬送し、読取部を通過させた後に排紙トレイへ排出する。
【０００４】
しかしながら、ガラス板上に既に原稿がある場合、その載置された原稿の下から読取部が画像読取を行うため、原稿の載置状態によっては、自動原稿給送装置から移動する原稿の画像を誤って読み込んでしまう可能性がある。
【０００５】
そこで、近年では、原稿読取を行うガラス板（読取ガラス）と対面する自動原稿給送装置の押圧部材付近にセンサを設け、ガラス板上の原稿の有無を判定することで、意図しない画像を読み込むことを防止するものがある（特許文献１）。
【先行技術文献】
【特許文献】
【０００６】
【特許文献１】特開平５−２３６１９２号公報
【発明の概要】
【発明が解決しようとする課題】
【０００７】
しかしながら、特許文献１に記載の技術では、押圧部材付近にセンサを設ける必要が有るため、装置が肥大化したり、高価になってしまう可能性がある。また、ガラス面の原稿を流し読みする部分に原稿が載置されている場合、原稿を検知できずそのまま画像を異常に読み取ってしまう可能性もある。
【０００８】
本発明は上記の課題を解決するためになされたものであり、コストをかけることなく、読取ガラス上に載置された状態にある原稿に起因した読取異常を検知することができる技術を提供することを目的とする。
【課題を解決するための手段】
【０００９】
上記の目的を達成するための本発明による画像読取装置は以下の構成を備える。即ち、
画像を読み取る画像読取装置であって、
読取ガラス上の読取位置で原稿を搬送しながら該原稿の画像を読み取る読取手段と、
前記読取手段から出力される、原稿の読取期間における読取画像の輝度値と紙間における読取画像の輝度値とに、所定値以上の輝度値の差が発生しているか否かを判定する判定手段と、
前記判定手段の判定の結果に基づいて、前記読取ガラス上に載置された原稿による読取異常の発生を示す情報を出力する出力手段と
を備える。
【発明の効果】
【００１０】
本発明によれば、コストをかけることなく、読取ガラス上に載置された状態にある原稿に起因した読取異常を検知することができる。
【図面の簡単な説明】
【００１１】
【図１】画像読取装置の断面図である。
【図２】画像読取装置の制御部を示すブロック図である。
【図３】画像処理部の詳細構成を示すブロック図である
【図４】ＡＤＦ用プラテン上に原稿がある場合とない場合の輝度特性を示す図である。
【図５】画像読取装置の動作を示すフローチャートである。
【発明を実施するための形態】
【００１２】
以下、本発明の実施の形態について図面を用いて詳細に説明する。
【００１３】
図１は画像読取装置の断面図である。
【００１４】
図１において、画像読取装置は、給紙部である自動原稿給送装置（ＡＤＦ（Ａｕｔｏ  Ｄｏｃｕｍｅｎｔ  Ｆｅｅｄｅｒ））１００と、ＡＤＦ１００を載置する画像読取部であるリーダ部２００とを備える。
【００１５】
ＡＤＦ１００において、ピックアップローラ１は、原稿トレイ２０上に表面を上に向けてセットされた原稿束Ｓを最上位の原稿から分離部２に繰り出す。分離部２は、上方に分離ローラと、下方に配置された分離パッドとを含み、原稿束Ｓの最上紙より一枚ずつ原稿の分離を行う。分離部２には、原稿の有無と幅を検出する原稿幅センサ１０がシート原稿の幅方向に複数設けられている。
【００１６】
また、原稿の搬送路上には、原稿給送センサ１１と原稿端センサ１２が設けられている。原稿給送センサ１１は、分離部２から原稿が送られたか否かや、原稿の後端の通過を検出することができる。原稿端センサ１２は、原稿の先端及び後端の通過を検知することができる。その検出信号は、画像読取のタイミング制御やピックアップローラ１による原稿給送のタイミング制御に用いられる。例えば、原稿給送センサ１１によって原稿の後端が検出されたことに基づいて、次原稿の給送を行うようピックアップローラ１が制御される。このようにして、搬送路上のセンサの検出結果に基づいて、原稿給送のタイミング制御が行われることで、給送される原稿と原稿の間に紙間を生じさせながら原稿の読み取りが行われる。
【００１７】
片面原稿で表面の画像を読み取る場合は、分離された原稿は、第１レジストローラ３にて分離搬送中の斜行補正を行った後、第１レジストローラ３から第２レジストローラ４、第１搬送ローラ５により搬送される。そして、読取位置Ｒの上方に配置されたホワイトローラ７の下方を搬送されている間に原稿表面の画像が読み取られる。そして、第２搬送ローラ６から排紙ローラ８により、排紙トレイ２１上に原稿表面を下に向けて順番に排出される。
【００１８】
また、両面原稿で表裏両面の画像を読み取る場合は、分離部２で分離された原稿は、第１レジストローラ３にて分離搬送中の斜行補正を行った後、第２レジストローラ４から第１搬送ローラ５及び第２搬送ローラ６により搬送される。そして、読取位置Ｒの上方に配置されたホワイトローラ７の下方を搬送されている間に原稿表面の画像が読み取られる。そして、第２搬送ローラ６から排紙ローラ８により、一旦、原稿前端側が排紙トレイ２１上に搬送され、原稿後端側が排紙ローラ８にニップされた状態で搬送が停止される。
【００１９】
その後、原稿をスイッチバック搬送し、第２レジストローラ４にて、斜行補正を行った後、第１搬送ローラ５及び第２搬送ローラ６により搬送される。そして、読取位置Ｒの上方に配置されたホワイトローラ７の下方を再度搬送されている間に原稿裏面の画像が読み取られる。但し、このまま第２搬送ローラ６から排紙ローラ８により、排紙トレイ２１上に原稿表面を上に向けて排出すると、原稿トレイ２０上にセットされた面順と異なってしまう。そこで、裏面を読み取られた原稿は、第２搬送ローラ６及び排紙ローラ８により、再度、原稿端部が排紙トレイ２１上に搬送され、原稿後端側が排紙ローラ８にニップされた状態で搬送が停止され、スイッチバック搬送される。更に、原稿は、第２レジストローラ４、第１搬送ローラ５、及び第２搬送ローラ６により搬送された後、排紙ローラ８により排紙トレイ２１上に表面を下に向けて順番に排出される。この際、排紙トレイ２１へ排出する原稿が、その原稿の排出経路に含まれる読取位置Ｒを搬送されている間であっても、この間は、原稿画像の読取は行われない。
尚、原稿の搬送方向に対して、排紙ローラ８の上流側には排紙センサ１３が設けられていて、読取位置Ｒで画像が読み取られた原稿が排出位置に搬送されたことを検知する。また、原稿トレイ２０には、原稿検知センサ１４が設けられていて、原稿トレイ２０にセットされた原稿の有無を検知する。更に、原稿トレイ２０には、原稿サイズ検知センサ１５が設けられていて、原稿のサイズ（例えば、Ａ４サイズ、Ｂ４サイズ、Ａ３サイズ等）を検知する。
【００２０】
リーダ部２００は、制御部２１１による制御の下、原稿に記録された画像情報を光学的に読み取り、光電変換して画像データとして入力する。また、制御部２１１は、ＡＤＦ１００を制御して、ＡＤＦ１００とリーダ部２００を連動して、ＡＤＦ１００から給紙される原稿の画像情報を読み取ることができる。
【００２１】
リーダ部２００は、原稿を読み取るための読取ガラス（第１及び第２の読取ガラス）として、ＡＤＦ原稿用プラテンガラス（ＡＤＦ用プラテン）２０１と、ブック原稿用プラテンガラス（ブック用プラテン）２０２を備える。そして、読取ガラス上には読取位置が設定されており、ＡＤＦ用プラテン２０１については、読取位置Ｒが設定されている。また、リーダ部２００は、スキャナユニット２０９、ミラー２０５及び２０６、レンズ２０７、ＣＣＤセンサ２０８とを有している。スキャナユニット２０９は、ランプ２０３、ミラー２０４及びレンズ２１０等の光学系を有する。
【００２２】
リーダ部２００は、ＡＤＦ１００から搬送されてくる原稿画像を読み取る場合は、スキャナユニット２０９をＡＤＦ用プラテン２０１の下に移動して停止させ、原稿が読取位置Ｒ上を搬送されている間、原稿の画像情報を読み取る（第１読取モード）。
【００２３】
また、ブック用プラテン２０２上に載置された原稿の画像を読み取る場合は、スキャナユニット２０９を原稿セット基準（不図示）から、副走査方向（原稿の搬送方向）に移動させ、原稿の画像情報を読み取る（第２読取モード）。
【００２４】
画像情報の読取は、ランプ２０３が点灯し原稿を照射する。原稿からの反射光は、レンズ２１０、ミラー２０４、２０５、２０６及びレンズ２０７を介して、ＣＣＤセンサ２０８に入力される。そして、ＣＣＤセンサ２０８に入力された原稿からの反射光は、ここで光電変換等の電気処理が行われ、通常のデジタル処理が施される。
【００２５】
尚、ＣＣＤセンサ２０８は、原稿の搬送方向（副走査方向）と交差する方向（主走査方向）に構成されたライン型読取センサである。そして、ＣＣＤセンサ２０８は、原稿からの反射光を受信して出力する読取信号をライン方向に合算したデータを、ＡＤＦ１００から給紙された原稿の読取データとして取得する。読取データは、画像読取装置の制御部２１１の画像記憶部３０８（図２）に格納される。
【００２６】
図２は図１の画像読取装置を制御するための制御部を示すブロック図である。
【００２７】
増幅器（ＡＭＰ）３０５は、ＣＣＤセンサ２０８より出力された電気信号を増幅する。Ａ／Ｄ変換回路３０６は、その増幅された電気信号をＡ／Ｄ変換して、例えば、各画素を１６ビットの輝度値として表現するデジタル画像データを出力する。Ａ／Ｄ変換回路３０６を含め、Ａ／Ｄ変換のために必要な構成は変換部として機能する。
【００２８】
画像処理部３０７は、Ａ／Ｄ変換回路３０６によって変換されたデジタル画像データの画像処理を実行する。ここでの画像処理には、シェーディング補正、画像補正、輝度比較処理部等が含まれる。画像記憶部３０８は、画像処理部３０７より出力されるデジタル画像データを記憶し、外部装置とのインタフェースに接続することで、そのデジタル画像データの転送を行うことができる。この外部装置には、例えば、インクジェットプリンタ、電子写真方式を用いたレーザビームプリンタ、外部記憶装置、パーソナルコンピュータ等の情報処理装置がある。
【００２９】
タイミング発生回路３０３は、ＣＰＵ３００の設定に応じて、駆動回路３０４に対し、ランプ２０３の点灯ＯＮ／ＯＦＦの制御信号の入力と定電流制御をすることで、ランプ２０３の光量調整を実現している。尚、ランプ２０３は、例えば、複数のＬＥＤからなるＬＥＤアレイで構成されている。
【００３０】
ＣＰＵ３００は、画像読取装置の各種制御を実現するためのプログラムを格納するＲＯＭ３０２と、プログラム実行に作業領域として用いられるＲＡＭ３０１とを備えている。ＣＰＵ３００は、ＲＯＭ３０２に記憶されているプログラムを読み出し、ＲＡＭ３０１上で実行することで、画像読取装置の制御を実現することができる。
【００３１】
また、ＡＤＦ１００やリーダ部２００への各種操作や設定は、操作部５７を介して行われる。操作部５７は、例えば、表示部（液晶ディスプレイ、ＬＥＤ等）、指示部（ボタン、タッチパネル）等から構成され、読取指示や部数設定、読取原稿サイズの指定、変倍等の各種操作を行うことができる。
【００３２】
図３は図２の画像処理部３０７の詳細構成を示すブロック図である。
【００３３】
Ａ／Ｄ変換回路３０６から出力されたデジタル画像データは、画像データ処理部３１７に入力され、各種画像処理が実行される。また、画像データ処理部３１７では、原稿の読取状態、あるいは原稿がＡＤＦ用プラテン２０１に到達する前（ここでは、紙間という）の読取位置Ｒの上方に配置されたホワイトローラ７の読取状態であるかを、ＣＰＵ３００の制御の下で判定する。画像データ処理部３１７は、取得される画像データに基づいて、その出力先を選択する。具体的には、画像データ処理部３１７は、紙間読取期間に対応する画像データを取得している場合は、紙間輝度格納メモリ３２７にその画像データを格納する。また、画像データ処理部３１７は、原稿読取期間に対応する画像データを取得している場合は、輝度比較処理部３３７にその画像データを出力する。
【００３４】
輝度比較処理部３３７では、紙間輝度格納メモリ３２７に格納されている画像データの輝度と、輝度比較処理部３３７に格納されている画像データの輝度を比較し、その比較結果をＣＰＵ３００に出力する。
【００３５】
図４はＡＤＦ用プラテンに原稿がある場合とない場合にスキャナユニット２０９によって取得される画像データの輝度特性を示す図である。尚、この輝度特性は、スキャナユニット２０９がライン単位で画像を読み取る場合の各ラインにおける平均輝度を、所定期間の間に観測される、時間的に連続した副走査方向の画素（副走査画素）の輝度分布を示している。この所定期間は、ＡＤＦ１００から搬送されてくる少なくとも２枚以上の原稿を十分に読み取ることができる時間である。
【００３６】
図４（ａ）は、ＡＤＦ用プラテン２０１上に原稿がない場合のスキャナユニット２０９によって取得される所定期間内の画像データの輝度特性である。ＡＤＦ用プラテン２０１上に原稿がない場合は、読取位置Ｒに搬送される原稿を読み取る。１枚の原稿の端部が通過するタイミングで、原稿と読取位置Ｒに配置されているホワイトローラ７の高低差で影が生じ、取得される画像データにその影の部分が発生する。１枚の原稿の端部が読取位置Ｒを通過し、その原稿とそれに後続して搬送される原稿との間の期間（紙間）になると、ホワイトローラ７を読み取ることになるため、原稿と紙間で輝度値が異なる輝度特性が観測されることになる。つまり、原稿画像に対応する輝度値と、その輝度値より低い紙間（ホワイトローラ７）に対応する輝度値の、高低差がある２種類の輝度値が観測される。
【００３７】
図４（ｂ）は、ＡＤＦ用プラテン２０１上に原稿がある場合のスキャナユニット２０９によって取得される所定期間内の画像データの輝度特性である。ＡＤＦ用プラテン２０１上に（第２読取モードの読み取りのための）載置原稿がある場合は、ＡＤＦ１００で原稿を搬送して読取位置Ｒで原稿読取を行ったとしても、その搬送原稿とＡＤＦ用プラテン２０１の間に載置原稿がある。そのため、紙間区間中も読取位置Ｒにあるホワイトローラ７をスキャナユニット２０９が読み取ることはない。また、載置原稿は搬送されるわけではないため、１枚分の原稿読取中、紙間読取中、共に同様の輝度値が連続する輝度特性が観測されることになる。この場合、第１読取モードの読み取りのための搬送原稿と、第２読取モードの読み取りのための載置原稿とが、ＡＤＦ用プラテン２０１上で混在する読取異常状態となり、取得される画像データも意図する画像データとならない。
【００３８】
以上の輝度特性を踏まえて、本実施形態では、読取動作によって得られる画像データの輝度特性を取得して、読取異常状態を検知する。以下、この処理について、図５のフローチャートを用いて説明する。尚、図５に示すフローチャートは、ＣＰＵ３００がＲＯＭ３０２に記憶されるプログラムを読み出し、ＲＡＭ３０１上で実行することにより実現される。
【００３９】
原稿トレイ２０に原稿Ｄが載置され、操作部５７上よりスキャンを開始するスタートキーが押下されると、Ｓ０１で、ＣＰＵ３００は、原稿読取を開始する。そして、リーダ部２００による読取動作と原稿端センサ１２からの検知結果に応じて、原稿の読取期間（第１読取期間）に対応する画像データと紙間の読取期間（第２読取期間）に対応する画像データをそれぞれ取得する。そして、取得した画像データを、対応する格納先である紙間輝度格納メモリ３２７あるいは輝度比較処理部３３７に格納する。
【００４０】
Ｓ０２で、ＣＰＵ３００は、排紙センサ１３の検知状態より、読取原稿が正常に装置外に排紙されたか否かを判定する。正常に装置外に排紙されていない場合（Ｓ０２でＮＯ）、Ｓ０５で、ＣＰＵ３００は、正常に装置外に排紙されていないことを示すＪＡＭエラー表示を操作部５７の表示部に出力する。
【００４１】
Ｓ０３で、ＣＰＵ３００は、輝度比較処理部３３７の比較結果を参照し、紙間読取期間における画像データの輝度と、原稿読取期間における画像データの輝度との間に差があるか否かを判定する。換言すれば、所定の読取期間（紙間読取期間と原稿読取期間）の間の読取画像の輝度値の分布に、所定値以上の輝度値の差（変化）が発生しているか否かを判定する。ここで、所定値は、例えば、白地の背景に画像（文字や図等）が印刷されている標準的な原稿を読み取る場合の読取画像全体の平均的な輝度値と、ホワイトローラ７を読み取る場合の読取画像の平均的な輝度値との差に、前後の誤差成分を加味した値で定められる。また、原稿の背景色に応じて、この所定値を適宜、操作部５７を介して設定することも可能である。
【００４２】
判定の結果、輝度の差がある場合（Ｓ０３でＹＥＳ）、Ｓ０４で、ＣＰＵ３００は、原稿の読取を終了する。一方、判定の結果、輝度の差がない場合（Ｓ０３でＮＯ）、Ｓ０６で、ＣＰＵ３００は、ＡＤＦ用プラテン２０１上に原稿があると判断し、その旨を示す読取異常表示を操作部５７の表示部に出力する。
【００４３】
より具体的には、ＣＰＵ３００は、例えば第２読取モードの読み取りのためにユーザがブック用プラテン２０２上に載置した原稿が、その載置状態に依存して、ＡＤＦ用プラテン２０１上に載置された状態となっていると判断する。その結果、ＣＰＵ３００は、ＡＤＦ用プラテン２０１上に載置された原稿による読取異常の発生を示す情報を出力する。Ｓ０６では、このような読取異常の発生を示す情報として、ＣＰＵ３００は、ＡＤＦ用プラテン２０１上に原稿が載置されていることを示す情報を表示部に表示している。
【００４４】
以上説明したように、本実施形態によれば、ＡＤＦを用いて原稿の読取を行った際に、原稿の紙間の輝度値と原稿の読取中の輝度値を比較し、その比較結果に基づいて、ＡＤＦ用プラテンに原稿が載置されていると判定する。この判定により、その旨や原稿の読取異常の恐れがあることを示す（即ち、読取ガラス上に載置された状態にある原稿に起因した読取異常の発生を示す）情報を報知し、また、再読取を促すことができる。これにより、後続の画像読取で、異常が発生し得る状態で、画像を読み取ることなく、品質の向上を図ることが可能になる。
【００４５】
また、装置の肥大化や、コストアップをすることなく、ＡＤＦ用プラテンガラス上に異常に置かれた原稿を検知することが可能であり、品質の向上を図ることが可能になる。
【００４６】
尚、上記実施形態のＡＤＦ１００とリーダ部２００を備える画像読取装置は、その画像読取装置と記録媒体上に画像を形成すると画像形成装置とで構成される複合機として使用することもできる。
【００４７】
尚、以上の実施形態の機能は以下の構成によっても実現することができる。つまり、本実施形態の処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施形態の機能を実現することとなり、またそのプログラムコードを記憶した記憶媒体も本実施形態の機能を実現することになる。
【００４８】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。また、ＣＰＵも１つのＣＰＵで全ての処理を行うものに限らず、複数のＣＰＵが適宜連携をしながら処理を行うものとしてもよい。
【符号の説明】
【００４９】
７：読取ローラ、１００：自動原稿搬送装置、２００：リーダ部、２０１：ＡＤＦ用プラテンガラス、２０２：ブック用プラテンガラス、３１０：原稿照明ユニット、３０２：光学系移動ユニット、２０９：スキャナユニット
【図１】
2017034549.tif 000003
【図２】
2017034549.tif 000004
【図３】
2017034549.tif 000005
【図４】
2017034549.tif 000006
【図５】
2017034549.tif 000007